(57)【要約】      （修正有）【課題】施工時の取り扱いが容易で、太陽電池を容易に湾曲して設置することができる取付具を提供する。【解決手段】厚さの異なる棒状の複数の支持部材１５と、支持部材１５にフィルム型太陽電池Ａを固定する固定具１６とを備え、複数の支持部材１５は、最大厚さの支持部材１５Ａを中心として、支持部材１５Ａの軸線方向に直交する両方向に、厚さが段階的に小さくなるように支持部材１５を平行に設置され、平行に配置された複数の支持部材１５の湾曲面を結ぶことにより複数の支持部材１５の配列方向に仮想湾曲面Ｓが形成され、フィルム型太陽電池を前記仮想湾曲面に沿って取り付け可能となっている。【選択図】図１
2017145559.tif 000002
【特許請求の範囲】
【請求項１】
厚さの異なる棒状の複数の支持部材と、この支持部材にフィルム型太陽電池を固定する固定具とを備え、
前記複数の支持部材は、最大厚さの支持部材を中心として、この最大厚さの支持部材の軸線方向に直交する両方向に、厚さが段階的に小さくなるように前記支持部材を平行に設置され、
平行に配置された前記複数の支持部材の湾曲面を結ぶことにより前記複数の支持部材の配列方向に仮想湾曲面が形成され、
フィルム型太陽電池を前記仮想湾曲面に沿って設置対象に取り付け可能な太陽電池の取付具。
【請求項２】
前記支持部材は、前記設置対象に対向配置させる平坦な面を有する設置面と、前記フィルム型太陽電池の裏面の一部を当接させる湾曲面との、少なくとも２面を有している請求項１に記載の太陽電池の取付具。
【請求項３】
前記支持部材は、前記設置面からアーチ形に突出した周面を有し、
前記湾曲面は前記周面上に形成されている請求項２に記載の太陽電池の取付具。
【請求項４】
前記支持部材が中空に形成された請求項１から３のいずれか一項に記載の太陽電池の取付具。
【請求項５】
前記湾曲面に、長手方向に間隔をおいてビスが固定可能である請求項１から４のいずれか一項に記載の太陽電池の取付具。
【請求項６】
前記湾曲面には、この湾曲面にフィルム型太陽電池を固定するバンドが一方向に延びるように設けられている請求項１から５のいずれか一項に記載の太陽電池の取付具。
【請求項７】
前記支持部材には、前記フィルム型太陽電池の断面以上の大きさに形成された前記フィルム型太陽電池の挿通孔又はスリットが形成され、
前記湾曲面は、前記挿通孔又はスリットを形成する壁面に設けられている請求項１から４のいずれか一項に記載の太陽電池の取付具。
【請求項８】
前記支持部材は、長手方向に連結させて延長可能に形成されている請求項１から７のいずれか一項に記載の太陽電池の取付具。
【請求項９】
一方向に平坦に延びフィルム型太陽電池の設置対象に対向配置させる設置面と、
この設置面の前記一方向に直交する方向の両端に跨って円弧形状に形成され、前記フィルム型太陽電池の裏面を当接させ、前記フィルム型太陽電池を前記円弧形状に沿って設置する湾曲面との、少なくとも２面を有した支持部材を備え、
フィルム型太陽電池の表面を湾曲させて設置対象に取り付け可能な太陽電池の取付具。
【請求項１０】
前記設置対象と前記支持部材との間に介装され、前記支持部材を同一平面上に設置させる補助架台を具備した請求項１から９のいずれか一項に記載の太陽電池の取付具。
【請求項１１】
請求項１から１０のいずれか一項に記載の太陽電池の取付具にフィルム型太陽電池を湾曲させて取り付けた太陽電池の設置構造。
【発明の詳細な説明】
【技術分野】
【０００１】
本発明は、太陽電池の取付具及び太陽電池の設置構造に関する。
【背景技術】
【０００２】
フィルム型の太陽電池モジュールは、設置時にフィルムの撓みやしわが発生することがある。フィルムの撓みやしわの防止については、様々な手段が考えられるが、その一つに、フィルムを受光面に対して僅かに湾曲させるという方法が考えられる。
フィルム型の太陽電池を受光面に対して湾曲させる手段としては、例えば下記特許文献１に開示された補強金属板と、この補強金属板の裏面側に固定する補強桟とを備えた取付具が開示されている。この技術においては、補強桟を湾曲させ、太陽電池モジュールを湾曲に沿って配するように構成されている。
【先行技術文献】
【特許文献】
【０００３】
【特許文献１】特開２０１３−６２４６３号公報
【発明の概要】
【発明が解決しようとする課題】
【０００４】
しかしながら、金属の補強桟の剛性が低いと補強桟自身が撓んだり折れ曲がったりするため、運搬時又は施工時に取り扱い難く、また施工後においても、補強桟の劣化に伴い補強桟が変形したり割れたり易いという問題があった。一方、補強桟の剛性を高くすると、取付具を含む太陽電池全体の重量が重くなり、その取り付けに制約を受けることが多くなってしまうという問題があった。これらの問題は、特に大判の太陽電池モジュールを設置したい場合に顕著に表れる。
そこで、本発明は、施工時の取り扱いが容易で、太陽電池を容易に湾曲して設置することができる取付具を提供する。
【課題を解決するための手段】
【０００５】
本発明の太陽電池の取付具は、厚さの異なる棒状の複数の支持部材と、この支持部材にフィルム型太陽電池を固定する固定具とを備え、前記複数の支持部材は、最大厚さの支持部材を中心として、この最大厚さの支持部材の軸線方向に直交する両方向に、厚さが段階的に小さくなるように前記支持部材を平行に設置され、平行に配置された前記複数の支持部材の湾曲面を結ぶことにより前記複数の支持部材の配列方向に仮想湾曲面が形成され、フィルム型太陽電池を前記仮想湾曲面に沿って設置対象に取り付け可能となっている。
この構成によれば、支持部材を湾曲させたい形状に撓ませる必要がないため、運搬時や施工時の取り扱いが容易となる。
【０００６】
本発明の前記支持部材は、前記設置対象に対向配置させる平坦な面を有する設置面と、前記フィルム型太陽電池の裏面の一部を当接させる湾曲面との、少なくとも２面を有しているとよい。
この構成によれば、フィルム型太陽電池を設置対象に安定的に設置することができ、またフィルム型太陽電池の裏面を傷つけることを防止することができる。
【０００７】
本発明の前記支持部材は、前記設置面からアーチ形に突出した周面を有し、前記湾曲面は前記周面上に形成されていてもよい。
この構成によれば、フィルム型太陽電池をどのような角度からも設置しやすくなる。
【０００８】
本発明の前記支持部材は、中空に形成されていてもよい。
この構成によれば、支持部材の軽量化及び設置後の支持部材を含む太陽電池の総重量の軽量化が図られる。
【０００９】
本発明の前記湾曲面には、長手方向に間隔をおいてビスが固定可能となっていてもよい。
この構成によれば太陽電池を確実に支持部材に固定することができる。
【００１０】
本発明の前記湾曲面には、この湾曲面にフィルム型太陽電池を固定するバンドが一方向に延びるように設けられていてもよい。
この構成によれば、フィルム型太陽電池を支持部材に容易に固定することができる。
【００１１】
本発明の前記支持部材には、前記フィルム型太陽電池の断面以上の大きさに形成された前記フィルム型太陽電池の挿通孔又はスリットが形成され、前記湾曲面は、前記挿通孔又はスリットを形成する壁面に設けられていてもよい。
この構成によれば、フィルム型太陽電池を支持部材に容易に固定することができる。
【００１２】
本発明の前記支持部材は、長手方向に連結させて延長可能に形成されていてもよい。
この構成によれば、太陽電池の大きさに応じて太陽電池の取付具の大きさを自由に変更することができる。
【００１３】
本発明の太陽電池の取付具は、一方向に平坦に延びフィルム型太陽電池の設置対象に対向配置させる設置面と、この設置面の前記一方向に直交する方向の両端に跨って円弧形状に形成され、前記フィルム型太陽電池の裏面を当接させ、前記フィルム型太陽電池を前記円弧形状に沿って設置する湾曲面との、少なくとも２面を有した支持部材を備え、フィルム型太陽電池の表面を湾曲させて設置対象に取り付け可能となっている。
この構成によれば、フィルム型太陽電池を容易に湾曲させることができる。
【００１４】
上記いずれかの太陽電池の取付具は、前記設置対象と前記支持部材との間に介装され、前記支持部材を同一平面上に設置させる補助架台を具備していてもよい。
この構成によれば、平坦でない設置対象に容易に支持部材を設置することができる。
【００１５】
本発明の太陽電池の設置構造は、上記いずれかの太陽電池の取付具にフィルム型太陽電池を湾曲させて取り付けている。
【発明の効果】
【００１６】
本発明は、軽量にしても施工時の取り扱いが容易で、太陽電池を容易に湾曲させることができるという効果を奏する。
【図面の簡単な説明】
【００１７】
【図１】本発明の第１の実施形態に係る太陽電池の取付具及び太陽電池の設置構造を示した上面図である。
【図２】本発明の第１の実施形態に係る太陽電池の取付具及び太陽電池の設置構造に適用されるフィルム型太陽電池の構造を示す平面図である。
【図３】図２に示すフィルム型太陽電池を構成する光電変換素子を模式的に示した断面図である。
【図４】本発明の第１の実施形態に係る太陽電池の取付具を構成する支持部材を示す斜視図である。
【図５】本発明の第１の実施形態に係る太陽電池の取付具の支持部材の変形例を示す上面図である。
【図６】本発明の第１の実施形態に係る太陽電池の取付具の支持部材の変形例を示す斜視図である。
【図７】本発明の第２の実施形態に係る太陽電池の取付具及び太陽電池の設置構造を示した上面図である。
【図８】（ａ），（ｂ）本発明の第２の実施形態に係る太陽電池の取付具を構成する支持部材を示す斜視図である。
【図９】（ａ），（ｂ）本発明の第２の実施形態に係る太陽電池の取付具を構成する支持部材の変形例を示す斜視図である。
【図１０】本発明の第３の実施形態に係る太陽電池の取付具及び太陽電池の設置構造を示した上面図である。
【発明を実施するための形態】
【００１８】
以下、本発明の実施形態について添付図面を用いて説明する。
本発明の第１の実施形態の太陽電池の取付具及び太陽電池の設置構造を、図を参照して説明する。
まず、図１に示す太陽電池の取付具１に設置するフィルム型の太陽電池モジュール（以下「太陽電池モジュール」という）Ａについて説明する。
【００１９】
太陽電池モジュールＡは、図２に示すように、長尺な帯状に形成され、光電変換素子２を、図３に示す第１フィルム３及び第２フィルム４の幅方向と長手方向にそれぞれ複数個配置させている。
太陽電池モジュールＡの正極端子５は、太陽電池モジュールＡの幅方向の一方側に設けられた光電変換素子２から突出している。
また、太陽電池モジュールＡの負極端子６は、幅方向の他方側に設けられた光電変換素子２から突出している。
【００２０】
図３に示すように、光電変換素子２は、第１フィルム３の表面に形成された対向電極１０と、第２フィルム４の表面に形成された光電極１１とを、対向電極１０と光電極１１とを対向させ、これらの間に電解質１２を挟んで封止したフィルム型の電池である。
【００２１】
図１に示す太陽電池の取付具１に取り付けられる光電変換素子２としては、可撓性があり平板状であれば特に限定されないが、本実施形態では、色素増感太陽電池を例示している。
本実施形態において、正極端子５は、対向電極１０を構成する導電膜１４に接続させて光電変換素子２から突出させており、負極端子６は、光電極１１を構成する透明導電膜１３Ａに接続させて光電変換素子２から突出させている。なお、透明導電膜１３Ａの表面には光電極１１を構成する半導体層１３Ｂが形成されている。
本明細書において、正極端子５及び負極端子６は包括的に電極端子５，６という。
【００２２】
図１に示すように、本発明の太陽電池の取付具１は、厚さの異なる複数の支持部材１５と、この支持部材１５に太陽電池モジュールＡを固定する固定具１６とを備えている。複数の支持部材１５は、最大厚さの支持部材１５を中心として、厚さが段階的に小さくなり、複数の支持部材１５の配列方向に仮想湾曲面Ｓが形成されるように設置対象Ｗ上に互いに平行に設置されている。
【００２３】
図４に示すように、各支持部材１５は棒状の長尺な部材で、いずれも略矩形で平坦な面を有する設置面２０と、アーチ形に形成された周面２１と、長手方向の両端を塞ぐ端面２２とを備え、長手方向に直交する断面形状がいわゆるかまぼこ型に形成されている。設置面２０は、設置対象又は後述する補助架台４０の平坦面に対向させて安定的に設置できる平坦な面を有していればよく、一部に凹所や溝部が形成されていてもかまわない。本実施形態では、周面２１の一部（具体的には頂部付近）が、太陽電池モジュールＡを当接させる湾曲面３０となっている。なお、いずれの支持部材１５も、中実で長手方向に一定の柱状に形成されている。
支持部材１５の本数は太陽電池モジュールＡの大きさによって異なるものであり、特に限定されないが、本実施形態では、５本の支持部材１５が用いられている。
【００２４】
５本の支持部材１５のうち１本は、設置面２０から周面２１の頂点まで距離すなわち厚さＬ１が他のいずれの支持部材１５よりも大きく形成されている。以下、図１に示すように、この最大厚さを有する支持部材１５を第１支持部材１５Ａと称する。
【００２５】
残りの４本のうち２本の支持部材１５は、互いに同形状に形成され、第１支持部材１５Ａよりも小さい厚さに形成されている。以下、これら２本の支持部材１５を第２支持部材１５Ｂと称する。
残りの２本は、互いに同形状に形成され、厚さが第２支持部材１５Ｂよりも更に小さく形成されている。以下、これら２本の支持部材１５を第３支持部材１５Ｃと称する。
【００２６】
支持部材１５の材料は特に限定されるものではないが、本実施形態では軽量で剛性の高い合成樹脂により形成されている。周面２１の頂部には、長手方向に間隔を空けてビス等の固定具１６を挿入して留められるビス孔１７が形成されている。
【００２７】
第１支持部材１５Ａの厚さ寸法、並びに第１支持部材１５Ａ、第２支持部材１５Ｂ及び第３支持部材１５Ｃのそれぞれの厚さ寸法の差は、太陽電池モジュールＡの大きさ、太陽電池モジュールＡを湾曲させたい度合い等によるものであり限定されない。
【００２８】
以上の構成を有する支持部材１５は、図１に示すように、所望する太陽電池モジュールＡの湾曲度合い及び各支持部材１５の厚さに応じて、複数の支持部材１５の設置方向に所望の仮想湾曲面Ｓを形成するように所定の間隔で互いに平行に配置される。
【００２９】
水平方向に太陽電池モジュールＡを湾曲させて設置したい場合は、太陽電池モジュールＡを設置する箇所の水平方向の中心に第１支持部材１５Ａを設置し、第１支持部材１５Ａに対して水平方向の両側（すなわち第１支持部材１５Ａの軸線に直交する両方向）に等間隔を空けて第２支持部材１５Ｂを設置する。第３支持部材１５Ｃは、第２支持部材１５Ｂよりも第１支持部材１５Ａとの間隔を更に空けて第２支持部材１５Ｂから等間隔離れた外側に設置する。それぞれの間隔は、仮想湾曲面Ｓの湾曲度合いを考慮して予め算出しておくとよい。
【００３０】
このようにして、全ての支持部材１５を互いに平行におくことによって、各支持部材１５の周面２１を滑らかに結んだ面上に、仮想湾曲面Ｓが形成される。
そこで、太陽電池モジュールＡの裏面を支持部材１５の湾曲面３０に向けて太陽電池モジュールＡを配置し、太陽電池モジュールＡ自身に形成した不図示の孔と支持部材１５のビス孔１７とに固定具１６を螺入させて太陽電池モジュールＡを湾曲させて取り付けた太陽電池モジュールの設置構造Ｘが完成する。
【００３１】
このような太陽電池の取付具１及び太陽電池の設置構造Ｘは、従来のように太陽電池モジュールＡの所望の湾曲形状に合わせて補強桟等の支持部材１５を撓ませて用いるのではなく、直線に延びる複数の棒状の支持部材１５を用いて、湾曲面３０を結んだ面が仮想湾曲面Ｓを形成するように設置される。そして、配置された支持部材１５に亘って太陽電池モジュールＡを設置し、固定できるようになっている。
【００３２】
したがって、本発明の太陽電池の取付具１は、支持部材１５に外力による変形が生じ難く、運搬及び施工時の取り扱いが容易となるという効果を奏する。また、支持部材１５は直線に延びる棒状に形成されればよいものであるため、製造が極めて容易で、支持部材１５の長手方向にリブを形成したり、中芯を別途設けたり、剛性の高い樹脂を用いたりすることで、軽量にして剛性を容易に高められるという効果を奏する。
【００３３】
また、太陽電池の取付具１は、支持部材１５の厚さ寸法と支持部材１５の設置間隔とで、容易に仮想湾曲面Ｓの湾曲度を自由に設定できるという効果を奏する。
また、太陽電池の取付具１は、互いに間隔を空けて複数の支持部材１５を設置するものであるため、太陽電池モジュールＡと設置対象Ｗの面との間に空気層が形成される。したがって、太陽電池モジュールＡ及び太陽電池の取付具１を備えた太陽電池の設置構造Ｘが、断熱構造を形成し、設置対象Ｗを外気と断熱しやすくなるという効果を奏する。
【００３４】
また、太陽電池モジュールＡを当接させる支持部材１５のアーチ形の周面２１の頂部が湾曲面３０を成し、湾曲面３０の延長線上は湾曲面に沿った湾曲形状となっているため、太陽電池モジュールＡの裏面の傷付き防止の効果が得られる。  
また、施工中に支持部材１５の設置点を自由に変更することができるため、作業性が良く、また太陽電池モジュールＡの張りの微調整を容易に行うことができるという効果が得られる。  
【００３５】
なお、上記実施形態で、支持部材１５は中実の棒状に形成されたものを例として説明したが、支持部材１５は、図５に示すように、中空に形成されたものであってもよい。
このような構成とすることで、支持部材１５の剛性に影響を与えることなく支持部材１５を軽量化することができる。したがって、太陽電池の取付具１の取り扱いが一層容易になるという効果が得られる。また、支持部材１５の中空部に流体を流動させて太陽電池モジュールＡを冷却することもできるという効果を奏する。
【００３６】
また、上記実施形態においては、太陽電池モジュールＡを支持部材１５に取り付ける固定具１６としてビス等を用いた構成を説明したが、ビス等に代えて、図６に示すように支持部材１５の周面２１に長手方向（周面２１の軸線方向である一方向）に亘って取り付けられた固定バンド１６ｐを適用することもできる。
本変形例では、太陽電池モジュールＡを支持部材１５と固定バンド１６ｐとの間に挿通させて固定する。
この構成によれば、太陽電池モジュールＡ及び支持部材１５にビスのビス孔１７を形成する必要がなく、またビス等のように固定具１６が緩んで支持部材１５から脱落してしまう心配がない。また、太陽電池モジュールＡを支持部材１５に容易に留めることができるという効果が得られる。
【００３７】
また、支持部材１５は、その厚さ方向に僅かにでも弾性変形が可能な部材により形成され、太陽電池モジュールＡをその端部においてのみ固定する構造としてもよい。
このような構成によれば、支持部材１５を厚さ方向にわずかに押圧した状態で固定し、太陽電池モジュールＡの固定後に押圧を開放することで、支持部材１５が太陽電池モジュールＡに対して付勢した状態となり、太陽電池モジュールＡのしわの防止がより一層効果的に図られるという効果が得られる。
【００３８】
また、支持部材１５は、その長手方向に連結可能に形成されたものであってもよい。  
この構成によれば、太陽電池モジュールＡの大きさに合わせて太陽電池の取付具１を延長可能にするなど、大きさを自由に設定しやすくなるという効果が得られる。
【００３９】
次に、本発明の太陽電池の取付具１の第２の実施形態について図７から図９を用いて説明する。なお、本実施形態では、第１の実施形態と同一の構成については同一の符号を付してその説明を省略し、第１実施形態との相違点を中心に説明する。
図７に示すように、第２の実施形態の太陽電池の取付具１は、太陽電池モジュールＡを挿通させて固定する支持部材１５を有していることを特徴としている。
【００４０】
具体的には、支持部材１５は、太陽電池モジュールＡを一方向に（例えば太陽電池モジュールＡの長手方向に沿って）挿通させる挿通孔２５Ａ又はスリット２５Ｂを有している。
図８に示すように、例えば支持部材１５Ａにおいて、湾曲面３０は、挿通孔２５Ａ又はスリット２５Ｂの設置面２０側の周面（壁面）２１により形成されている。すなわち、湾曲面３０が周面２１の全体で形成されている。挿通孔２５Ａ又はスリット２５Ｂの湾曲面３０とこれに対向する面との間の最少寸法は、太陽電池モジュールＡを挿通させることが可能な程度に形成されていればよいが、太陽電池モジュールＡの厚さと同等に形成されていることが望ましい。
【００４１】
このように支持部材１５Ａ−１５Ｃを形成することで挿通させた太陽電池モジュールＡを支持部材１５で湾曲させることができるとともに、挿通孔２５Ａ又はスリット２５Ｂによって太陽電池モジュールＡを支持部材１５に挟み込んで固定することができ、固定具１６を別途設ける必要がなくなるという効果が得られる。
【００４２】
また、支持部材１５の挿通孔２５Ａ又はスリット２５Ｂに太陽電池モジュールＡを挿通させておくことで、太陽電池モジュールＡが仮止めされたような状態となるため、施工中に、支持部材１５から太陽電池モジュールＡが脱落し難く、作業性が良いものとなるという効果が得られる。
【００４３】
なお、周面２１は、図９に示すように、第１実施形態の周面２１と同様に、アーチ形に形成され、この周面２１の一部が湾曲面３０となっていてもよい。この場合は、複数の支持部材１５間で設置面２０から湾曲面３０の頂部までの距離を異ならせて、第１の実施形態と同様に、支持部材１５同士の距離により湾曲形状を適宜設定できる。
このような構成とすることで、支持部材１５において図７に示す湾曲面３０の端縁の角により太陽電池モジュールＡの表面を傷付けてしまうことを防止することができるという効果を奏する。なお、本実施形態及びこの変形例においては、挿通孔２５Ａ又はスリット２５Ｂを形成する支持部材１５の互いに対向する壁部が固定具を兼ねた構成となっている。
【００４４】
次に、本発明の第３の実施形態について、図１０を用いて説明する。
本実施形態の太陽電池の取付具１は、一方向に平坦に延び太陽電池モジュールＡの設置対象Ｗに対向配置させる設置面２０と、この設置面２０の前記一方向に直交する方向の両端から円弧形状に形成され、この円弧形状に沿って太陽電池モジュールＡを設置し湾曲させる湾曲面３０との、少なくとも２面を有した支持部材１５を備えている。
【００４５】
このような支持部材１５は、太陽電池モジュールＡの裏面の全体を支持可能に形成されたものとしてもよいし、又は、湾曲面３０の軸線方向（紙面奥行き方向）の両端又は両端とこれらの間に複数設置され太陽電池モジュールＡを支持できるように構成されていてもよい。
このような構成によれば、太陽電池モジュールＡを容易に湾曲させ、固定することができる。
【００４６】
また、アーチ形の壁部が弾性変形及び弾性復帰可能な構成に形成されていれば、アーチ形の壁部をやや扁平に変形させた状態で太陽電池モジュールＡを支持部材１５に固定し、固定後に支持部材１５を弾性復帰させることでアーチ形の壁部を太陽電池モジュールＡに付勢させることができる。したがって、太陽電池モジュールＡにテンションを掛けてしわが発生し難い状態で設置対象Ｗに固定することができるという効果が得られる。
【００４７】
以上、本発明の第１から第３の実施形態について説明したが、第１から第３の実施形態で説明した各要素は適宜組み合わせて応用してもよい。
また、上記で説明した太陽電池の取付具１は、太陽電池モジュールＡに所期の湾曲を持たせるために、設置対象Ｗが平坦で、全ての支持部材１５が同一平面上に設置されることが望まれる。
したがって、設置対象Ｗの面が平坦でなかったり凹凸があったりする場合には、図１に示すような支持部材１５を設置する一の平面を形成する補助架台４０を支持部材１５と設置対象との間に介装させて用いるとよい。
【符号の説明】
【００４８】
１    太陽電池の取付具
１５  支持部材
１６  ビス（固定具）
１６ｐ  バンド（固定具）
２０  設置面
２１  周面
２５Ａ  挿通孔
２５Ｂ  スリット
３０  湾曲面
４０  補助架台
Ａ    太陽電池モジュール（フィルム型太陽電池）
Ｓ    仮想湾曲面
Ｗ    設置対象
Ｘ    太陽電池の設置構造
【図１】
2017145559.tif 000003
【図２】
2017145559.tif 000004
【図３】
2017145559.tif 000005
【図４】
2017145559.tif 000006
【図５】
2017145559.tif 000007
【図６】
2017145559.tif 000008
【図７】
2017145559.tif 000009
【図８】
2017145559.tif 000010
【図９】
2017145559.tif 000011
【図１０】
2017145559.tif 000012